(57)【要約】【目的】  ペットの排泄物を衛生的に回収することができ、しかも感覚的にも衛生的なペット用排泄物回収具を提供する。【構成】  略く字形状に形成された本体部１１０と、この本体部１１０の一対の先端を内側に向かって折曲してなる一対の爪部１２０とを有している。通常の状態、すなわちなんらの外力も与えない状態では、爪部１２０はピンセットのように開いた状態にある。そして、閉じると、爪部１２０が閉じる。【選択図】      図３
2007159513.tif 000002
【特許請求の範囲】
【請求項１】
袋の内部に入れ込んだ状態で袋を介してペットの排泄物をつかみ取るペット用排泄物回収具であって、薄板を側面視略く字形状に形成してなることを特徴とするペット用排泄物回収具。
【請求項２】
前記請求項１記載のペット用排泄物回収具において、先端が内側に向かって折曲された爪部となっていることを特徴とするペット用排泄物回収具。
【請求項３】
前記薄板は、透光性を有する素材からなることを特徴とする請求項１又は２記載のペット用排泄物回収具。
【発明の詳細な説明】
【技術分野】
【０００１】
本発明は、犬等のペットの排泄物を回収する袋とともに使用するペット用排泄物回収具に関する。
【背景技術】
【０００２】
家庭で飼育されているペットの代表的な動物である犬は、少なくとも一日一回の散歩が必要である。この散歩は、健康維持及び促進のため、犬の運動を確保するという役目もあるが、排泄のチャンスを確保するという役目をも有している。排泄物を回収するための袋としては、特開２００４−８１０７８号公報記載のペット用汚物回収袋がある。
【０００３】
この特開２００４−８１０７８号公報記載のものは、『不透水性シートから成り、底部および開口部を有する袋体と、前記袋体を平坦状に折畳んだ状態で、その袋体の外方に臨む一方の表面の底部寄りの領域に貼着され、微小な凹凸が全面にわたって形成される吸水性シートと、前記平坦状に折畳まれた袋体の内方に臨む一方の表面の前記吸水性シートが貼着される領域よりも開口部寄りの領域に貼着され、粘着層が形成される開口部封止用テープとを含む』ペット用汚物回収袋である。
【０００４】
このペット用汚物回収袋は、袋体の内側に手を入れ、吸水性シートの部分で排泄物をつかみ、その状態でペット用汚物回収袋を裏表が逆になるようにひっくり返し、表側になった開口部封止用テープで開口部を封止して、汚物を回収する。
【０００５】
【特許文献１】特開２００４−８１０７８
【発明の開示】
【発明が解決しようとする課題】
【０００６】
しかしながら、特許文献１記載のペット用汚物回収袋では、排泄物には直接手を触れず衛生的であるが、使用時に排泄物の感触が手に伝わる。すなわち、このペット用汚物回収袋は、排泄物の感触を感じるという点で、感覚的に非衛生的であり、この点が幅広い普及を妨げている原因の１つと思われる。
【０００７】
本発明は、上記事情に鑑みて創案されたもので、排泄物を衛生的に回収することができ、しかも感覚的にも衛生的なペット用排泄物回収具を提供することを目的としている。
【課題を解決するための手段】
【０００８】
本発明に係るペット用排泄物回収具は、袋の内部に入れ込んだ状態で袋を介してペットの排泄物をつかみ取るペット用排泄物回収具であって、薄板を側面視略く字形状に形成してなる。
【発明の効果】
【０００９】
本発明に係るペット用排泄物回収具は、袋の内部に入れ込んだ状態で袋を介してペットの排泄物をつかみ取るペット用排泄物回収具であって、薄板を側面視略く字形状に形成してなるので、排泄物の感触が手に伝わらず感覚的な衛生感を与えることができる。
【００１０】
また、先端が内側に向かって折曲された爪部となっていると、排泄物をつかみやすいというメリットがある。
【００１１】
さらに、前記薄板が、透光性を有する素材から構成されるならば、ペット用排泄物回収具を通してつかもうとする排泄物を視認することができるので、より確実に排泄物をつかみとることができる。
【００１２】
また、このペット用排泄物回収具は、袋を介して排泄物をつかむので、排泄物には直接的には触れないので繰り返しの使用が可能である。
【発明を実施するための最良の形態】
【００１３】
図１は本発明の実施の形態に係るペット用排泄物回収具の概略的斜視図、図２は本発明の実施の形態に係るペット用排泄物回収具の概略的側面図、図３は本発明の実施の形態に係るペット用排泄物回収具の使用状態を示す概略的説明図、図４は本発明の実施の形態に係るペット用排泄物回収具の変形例を示す概略的斜視図である。
【００１４】
本発明の実施の形態に係るペット用排泄物回収具１００は、袋２００の内部に入れ込んだ状態で袋２００を介してペットの排泄物３００をつかみ取るものであって、薄板を側面視略く字形状に形成してなる。
【００１５】
このペット用排泄物回収具１００は、合成樹脂や段ボール紙を折曲したもので、略く字形状に形成された本体部１１０と、この本体部１１０の一対の先端を内側に向かって折曲してなる一対の爪部１２０とを有している。通常の状態、すなわちなんらの外力も与えない状態では、爪部１２０はピンセットのように開いた状態にある。そして、図３に示すように、本体部１１０の一方側に親指を、他方側に残りの４本の指を添え、閉じると、爪部１２０が閉じるようになっている。この状態から力を抜くと爪部１２０が開くのである。
【００１６】
かかるペット用排泄物回収具１００の幅寸法は、排泄物３００のつかみやすさや袋２００の大きさ等を考慮すると、１０ｃｍ程度が望ましいが、本発明がこれに限定されるものでないことはいうまでもない。
【００１７】
かかるペット用排泄物回収具１００の使用手順について、図３を参照しつつ説明する。まず、袋２００、例えば、スーパーマーケットやコンビニエンスストアで商品を収納するのに用いられるいわゆるビニール袋の内側に、爪部１２０を下向きにしたペット用排泄物回収具１００を入れる（図３（Ａ）参照）。すると、ペット用排泄物回収具１００の爪部１２０は、袋２００の内側の底部に位置する。
【００１８】
この状態で袋２００の内部に手を入れ、本体部１１０の一方側に親指を、他方側に残りの４本の指を添える。もう一方の手で袋２００を保持した状態で、排泄物３００の上に袋２００の底部を被せる。そして、その状態でペット用排泄物回収具１００を閉じると、排泄物３００は、袋２００を介してペット用排泄物回収具１００につかみとられる（図３（Ｂ）参照）。
【００１９】
この状態のまま袋２００を反転させる（図３（Ｃ）参照）。すると、ペット用排泄物回収具１００は袋２００の外側に位置することになり、逆に排泄物３００は袋２００の内側に位置することになる。この状態で、ペット用排泄物回収具１００に加えていた力を抜くと、排泄物３００は袋２００の内側に回収されたことになる。これで、袋２００を密閉すればよい。
【００２０】
かかるペット用排泄物回収具１００の変形例として、図４に示すようなものがある。このペット用排泄物回収具１００Ａは、本体部１１０Ａが２段に折曲されているのである。そして、本体部１１０Ａの先端に内向きの爪部１２０Ａが形成されている。このため、同じ大きさの薄板であると、より安定して大きな排泄物３００をつかみとることができるようになる。
【００２１】
また、薄板を例えば合成樹脂製の透光性のある素材から構成すれば、ペット用排泄物回収具１００を通してつかもうとする排泄物３００を視認することができるので、より確実に排泄物３００をつかみとることができる。
【００２２】
上述の説明では、袋２００としてはいわゆるビニール袋を用いるとしたが、専用のものであってもよいことはいうまでもない。
【図面の簡単な説明】
【００２３】
【図１】本発明の実施の形態に係るペット用排泄物回収具の概略的斜視図である。
【図２】本発明の実施の形態に係るペット用排泄物回収具の概略的側面図である。
【図３】本発明の実施の形態に係るペット用排泄物回収具の使用状態を示す概略的説明図である。
【図４】本発明の実施の形態に係るペット用排泄物回収具の変形例を示す概略的斜視図である。
【符号の説明】
【００２４】
１００    ペット用排泄物回収具
１２０    爪部
２００    袋
３００    排泄物
【図１】
2007159513.tif 000003
【図２】
2007159513.tif 000004
【図３】
2007159513.tif 000005
【図４】
2007159513.tif 000006